(57)【特許請求の範囲】
【請求項１】
電線に接続された端子を収容するコネクタハウジングと、このコネクタハウジングに嵌合されて、該コネクタハウジングから引き出された前記電線を覆うカバーとを備えるカバー付コネクタであって、
前記コネクタハウジングと前記カバーとのうちいずれか一方は、該コネクタハウジングに嵌合したカバーを前記コネクタハウジングから引き離す方向に対して直交する方向に前記一方から突設した規制リブを有し、
前記コネクタハウジングと前記カバーとのうちいずれか他方は、前記規制リブに対応する形状で形成されて、前記コネクタハウジングへの前記カバーの嵌合時に前記規制リブがその延在方向の端部から挿入される規制溝を有し、
前記規制リブは、前記一方からの突設方向と前記カバーの前記コネクタハウジングからの引き離し方向との双方と直交する方向に、一直線状に延在し、前記突設方向の基端から先端に向かうにしたがって幅が広くなるように形成されており、
前記コネクタハウジングに前記カバーを嵌合した状態で、前記規制溝とこれに挿入した前記規制リブとにより、前記コネクタハウジングに対する前記カバーの嵌合解除が規制されることを特徴とするカバー付コネクタ。
【請求項２】
請求項１に記載のカバー付コネクタにおいて、
前記一方は、前記規制リブの前記延在方向と平行して延在し前記突設方向に前記一方から突設されたガイドリブを有し、
前記他方は、前記コネクタハウジングへの前記カバーの嵌合時に前記ガイドリブがその延在方向の端部から挿入されるガイド溝を有し、
前記規制リブと前記ガイドリブとは、それぞれの延在方向と直交する断面の形状が互いに異なることを特徴とするカバー付コネクタ。
【請求項３】
請求項２に記載のカバー付コネクタにおいて、
前記ガイド溝は、該ガイド溝の内壁面から突設され前記ガイドリブにその幅方向の一方から当接して前記ガイドリブの幅方向の他方を前記ガイド溝の対向する内壁面に押圧する押圧リブを有することを特徴とするカバー付コネクタ。
【発明の詳細な説明】
【技術分野】
【０００１】
本発明は、コネクタハウジングから引き出された電線を覆って保護するカバーを備えたカバー付コネクタに関する。
【背景技術】
【０００２】
従来から、コネクタハウジングから引き出された電線を覆って保護するカバーを備えたカバー付コネクタとして、例えば、特開２０１０−９７８８号公報（特許文献１）に記載されたカバー付コネクタが提案されている。
【０００３】
このカバー付コネクタは、電線の端末に接続された端子を収容するコネクタハウジングと、このコネクタハウジングに嵌合されて、コネクタハウジングから引き出された電線を覆うカバーとから略構成されている。
【０００４】
コネクタハウジングは、コネクタハウジングに嵌合したカバーをコネクタハウジングから引き離す方向に対して直交する方向に突設した嵌合突部を有している。この嵌合突部は、コネクタハウジングからの突設方向の全長に亘って同一幅に形成されている。そして、嵌合突部は、コネクタハウジングからの突設方向とカバーのコネクタハウジングからの引き離し方向との双方と直交する方向に、一直線状に延在している。一方、カバーは、コネクタハウジングにカバーを嵌合させるときに、嵌合突部がその延在方向の一端側から挿入される嵌合凹部を有している。
【０００５】
そして、嵌合凹部に嵌合突部を挿入することにより、コネクタハウジングにカバーが嵌合される。
【先行技術文献】
【特許文献】
【０００６】
【特許文献１】特開２０１０−９７８８号公報
【発明の概要】
【発明が解決しようとする課題】
【０００７】
ところで、上述したカバー付きコネクタでは、コネクタハウジングとカバーとの嵌合部分にねじれ力がかかることがある。そして、ねじれの方向によっては、コネクタハウジングとカバーとの間に、コネクタハウジングに対する嵌合突部の突設方向（嵌合突部がカバーの嵌合凹部から引き抜かれる方向）の力が、ねじれ力によってコネクタハウジングとカバーとの間にかかる場合がある。
【０００８】
ところが、上述したカバー付コネクタでは、嵌合突部がコネクタハウジングからの突設方向の全長に亘って同一幅に形成されているため、カバーとコネクタハウジングとの間に嵌合突部を嵌合凹部から引き抜く方向の力が加わった場合に、嵌合突部と嵌合凹部との嵌合が外れてコネクタハウジングからカバーが外れやすい。このため、ねじれ力に対するカバー保持力が低いという問題があった。
【０００９】
そこで、本発明は、ねじれ力に対するカバー保持力を向上したカバー付コネクタを提供することを目的とする。
【課題を解決するための手段】
【００１０】
上記目的を達成するため、本願請求項１に記載した本発明のカバー付コネクタは、電線に接続された端子を収容するコネクタハウジングと、このコネクタハウジングに嵌合されて、該コネクタハウジングから引き出された前記電線を覆うカバーとを備えるカバー付コネクタであって、前記コネクタハウジングと前記カバーとのうちいずれか一方は、該コネクタハウジングに嵌合したカバーを前記コネクタハウジングから引き離す方向に対して直交する方向に前記一方から突設した規制リブを有し、前記コネクタハウジングと前記カバーとのうちいずれか他方は、前記規制リブに対応する形状で形成されて、前記コネクタハウジングへの前記カバーの嵌合時に前記規制リブがその延在方向の端部から挿入される規制溝を有し、前記規制リブは、前記一方からの突設方向と前記カバーの前記コネクタハウジングからの引き離し方向との双方と直交する方向に、一直線状に延在し、前記突設方向の基端から先端に向かうにしたがって幅が広くなるように形成されており、前記コネクタハウジングに前記カバーを嵌合した状態で、前記規制溝とこれに挿入した前記規制リブとにより、前記コネクタハウジングに対する前記カバーの嵌合解除が規制されることを特徴とする。
【００１１】
請求項２に記載した本発明のカバー付コネクタは、請求項１に記載のカバー付コネクタにおいて、前記一方は、前記規制リブの前記延在方向と平行して延在し前記突設方向に前記一方から突設されたガイドリブを有し、前記他方は、前記コネクタハウジングへの前記カバーの嵌合時に前記ガイドリブがその延在方向の端部から挿入されるガイド溝を有し、前記規制リブと前記ガイドリブとは、それぞれの延在方向と直交する断面の形状が互いに異なることを特徴とする。
【００１２】
請求項３に記載した本発明のカバー付コネクタは、請求項２に記載のカバー付コネクタにおいて、前記ガイド溝は、該ガイド溝の内壁面から突設され前記ガイドリブにその幅方向の一方から当接して前記ガイドリブの幅方向の他方を前記ガイド溝の対向する内壁面に押圧する押圧リブを有することを特徴とする。
【００１３】
請求項１に記載した本発明のカバー付コネクタによれば、コネクタハウジングとカバーとのうちいずれか一方の規制リブは、カバーをコネクタハウジングから引き離す方向に対して直交する方向に、一方から突設して、突設方向における基端から先端に向かうにしたがって幅が広くなるように形成されている。また、この規制リブに対応する形状で、コネクタハウジングとカバーとのうちいずれか他方に規制溝が形成されている。このため、カバーに、コネクタハウジングから引き離す方向への引張力を含むねじれ力が加わった場合に、規制リブが規制溝から外れることがない。
【００１４】
従って、ねじれ力に対するカバー保持力を向上したカバー付コネクタを提供することができる。
【００１５】
請求項２に記載した本発明のカバー付コネクタによれば、コネクタハウジングとカバーとのうちいずれか他方には、規制リブとは異なる断面形状を有するガイドリブが挿入されるガイド溝を有している。このため、規制リブがガイド溝に挿入されようとすると、互いの断面形状の違いから、カバーが誤った位置に嵌合されていることを検知することができ、カバーが誤った位置に嵌合されることを防止することができる。
【００１６】
請求項３に記載した本発明のカバー付コネクタによれば、ガイド溝は、ガイドリブにその幅方向の一方から当接して他方を対向するガイド溝の内壁面に押圧する押圧リブを有する。このため、ガイドリブがガイド溝内で幅方向にがたつくことによる振動や異音を抑制することができる。
【発明の効果】
【００１７】
本発明によれば、ねじれ力に対するカバー保持力を向上したカバー付コネクタを提供することができる。
【図面の簡単な説明】
【００１８】
【図１】本発明の実施形態に係るカバー付コネクタを構成するコネクタハウジングを示す斜視図である。
【図２】図２（ａ）は、図１のコネクタハウジングの規制リブとガイドリブを示す平面図である。図２（ｂ）は、図２（ａ）のコネクタハウジングの連結部を拡大して示す平面図である。
【図３】本発明の実施形態に係るカバー付コネクタを構成するカバーを示す展開状態の斜視図である。
【図４】本発明の実施形態に係るカバー付コネクタを構成するカバーを示す展開状態の平面図である。
【図５】図３及び図４のカバーの被連結部を拡大して示す平面図である。
【図６】本発明の実施形態に係るカバー付コネクタを構成するネクタハウジングとカバーとの嵌合部分にねじれ力がかかる場合を示す説明図である。
【図７】図７（ａ）は、本発明の実施形態に係るカバー付コネクタを構成する連結部と非連結部の部分を拡大して示す平面図である。図７（ｂ）は、本発明の実施形態に係るカバー付コネクタを構成するカバーにコネクタハウジングから引き離す方向への引張力が加わった場合を示す平面図である。
【図８】本発明の実施形態に係るカバー付コネクタを示す平面図である。
【図９】図９（ａ）は、本発明の実施形態に係るカバー付コネクタを構成するコネクタハウジングの誤った位置にカバーを嵌合しようとした場合を示す平面図である。図９（ｂ）は、図９（ａ）のコネクタハウジングの連結部とカバーの非連結部の部分を拡大して示す平面図である。
【発明を実施するための形態】
【００１９】
以下、本発明の実施形態に係るカバー付コネクタについて図面を参照して説明する。はじめに、図１及び図２を参照して、本発明の実施形態に係るカバー付コネクタを構成するコネクタハウジングについて詳細に説明する。
【００２０】
図１は、本発明の実施形態に係るカバー付コネクタを構成するコネクタハウジングを示す斜視図である。図２（ａ）は、図１のコネクタハウジングの平面図である。図２（ｂ）は、図２（ａ）のコネクタハウジングの連結部を拡大して示す平面図である。
【００２１】
なお、本発明の実施形態に係るカバー付コネクタは、電線に接続された端子（図示省略）を収容するコネクタハウジング１１と、このコネクタハウジング１１に嵌合されて、コネクタハウジング１１から引き出された電線（図示省略）を覆うカバー２１（図３を参照して後述する）とを備えるカバー付コネクタ１に関するものである（後述する図６、図８、図９（ａ）参照）。
【００２２】
図１及び図２に示すように、本発明の実施形態に係るコネクタハウジング１１は、複数の端子を収容する端子収容室１２を有するコネクタハウジング本体１３と、このコネクタハウジング本体１３に連設されてその外部に配置された連結部１４とを有している。
【００２３】
コネクタハウジング本体１３は、端子収容室１２に収容された複数の端子（図示省略）と接続する端子を収容した相手側コネクタハウジング（図示省略）が挿入される挿入口１５を有している。
【００２４】
連結部１４は、図２（ａ）に示すように、コネクタハウジング１１に後述する図３のカバー２１を嵌合するために、コネクタハウジング本体１３のカバー２１が嵌合される側（図２（ａ）中上方の左右両側にそれぞれ設けられている。各連結部１４は、規制リブ１６とガイドリブ１７とを有している。
【００２５】
規制リブ１６は、コネクタハウジング１１に嵌合したカバー２１（後述する図３参照）をコネクタハウジング１１から引き離す方向（図１の矢印Ｙ方向）に対して直交する方向（図１の矢印Ｘ及び矢印Ｘ´方向）に、コネクタハウジング本体１３から突設されている。そして、突設方向（図１の矢印Ｘ及び矢印Ｘ´方向）とカバー２１のコネクタハウジング１１からの引き離し方向（図１の矢印Ｙ方向）との双方と直交する方向（図１の矢印Ｚ方向）に一直線状に延在している。また、規制リブ１６は、図２（ｂ）に示すように、その突設方向（図１の矢印Ｘ及びＸ´方向）の基端１６ａから先端１６ｂに向かうにしたがって幅が広くなるように形成されている。
【００２６】
この規制リブ１６は、後で図３及び図４を参照して説明するカバー２１の規制溝２６に端部１６ｃから挿入することにより、規制溝２６と協働して、コネクタハウジング１１に対するカバー２１の嵌合解除を規制する。
【００２７】
また、ガイドリブ１７は、図１及び図２（ａ）に示すように、規制リブ１６と同じ方向（図１の矢印Ｘ及び矢印Ｘ´方向）に、コネクタハウジング本体１３から突設されている。そして、規制リブ１６と平行して、突設方向（図１の矢印Ｘ及び矢印Ｘ´方向）とカバー２１のコネクタハウジング１１からの引き離し方向（図１の矢印Ｙ方向）との双方と直交する方向（図１の矢印Ｚ方向）に一直線状に延在している。また、ガイドリブ１７は、図２（ｂ）に示すように、その突設方向（図１の矢印Ｘ及びＸ´方向）の基端１７ａから先端１７ｂまでに亘って同一幅に形成されている。
【００２８】
このガイドリブ１７は、規制リブ１６を図３及び図４に示すカバー２１の規制溝２６に端部１６ｃから挿入する際に、図３及び図４に示すカバー２１のガイド溝２７に端部１７ｃ（図２（ｂ）参照）から挿入される。
【００２９】
また、このガイドリブ１７は、後で図３から図５を参照して説明するガイド溝２７の内壁面２８ａ（後述する図５参照）から突設された押圧リブ２９（後述する図５参照）と当接する側面１７ｅと、側面１７ｅが押圧リブ２９に当接した際に、ガイド溝２７の対向する内壁面２８ｂ（後述する図５参照）に押圧される側面１７ｆとを有している。
【００３０】
上述した規制リブ１６とガイドリブ１７とは、それぞれの延在方向（図１の矢印Ｚ方向）と直交する断面の形状が互いに異なるように形成されている。つまり、規制リブ１６の断面形状は、略台形形状を有しているが、ガイドリブ１７の断面形状は、略長方形形状を有している（図２（ｂ）参照）。
【００３１】
次に、図３から図５を参照して、本発明の実施形態に係るカバー付コネクタを構成するカバーについて詳細に説明する。図３は、本発明の実施形態に係るカバーを示す展開状態の斜視図である。
【００３２】
また、図４は、図３のカバーを示す展開状態の平面図である。図５は、図４のカバーの被連結部を拡大して示す平面図である。
【００３３】
図３及び図４に示すように、カバー２１は、カバー本体２２と、カバー本体２２の内部に設けられ、カバー２１のコネクタハウジング１１（図１及び図２参照）との嵌合時に連結部１４（図１及び図２参照）と連結される被連結部２３とを有している。
【００３４】
カバー本体２２は、第１カバー本体２２ａと第２カバー本体２２ｂとを有しており、第１カバー本体２２ａと第２カバー本体２２ｂとは、ヒンジ２４を介して接続されており、開口された状態の第１カバー本体２２ａと第２カバー本体２２ｂとを折り重ね可能に構成されている。
【００３５】
このカバー本体２２（第１カバー本体２２ａ、第２カバー本体２２ｂ）には、カバー２１のコネクタハウジング１１との嵌合時に電線（図示省略）をカバー本体２２の外側に導出する細長いドーム状（箱形）の導出開口部２５が形成されている。
【００３６】
被連結部２３は、規制リブ１６（図１及び図２参照）に対応する形状で形成されて、コネクタハウジング１１（図１及び図２参照）へのカバー２１の嵌合時に規制リブ１６がその延在方向（図１の矢印Ｚ方向）の端部１６ｃ（図２（ｂ）参照）から挿入される規制溝２６を有している。
【００３７】
この規制溝２６には、コネクタハウジング１１（図１及び図２参照）にカバー２１を嵌合した状態（例えば、図８に示す状態）で、規制リブ１６が端部１６ｃ（図２（ｂ）参照）から挿入されることにより、コネクタハウジング１１に対するカバー２１の嵌合解除が規制される。
【００３８】
また、被連結部２３は、コネクタハウジング１１（図１及び図２参照）へのカバー２１の嵌合時にガイドリブ１７（図１及び図２参照）がその延在方向の端部１７ｃ（図２（ｂ）参照）から挿入されるガイド溝２７を有している。
【００３９】
このガイド溝２７には、コネクタハウジング１１（図１及び図２参照）にカバー２１を嵌合した状態（例えば、後述する図８に示す状態）で、規制リブ１６が端部１６ｃ（図２（ｂ）参照）から挿入される。
【００４０】
また、このガイド溝２７には、図５に示すように、ガイド溝２７の内壁面２８ａから突設され、ガイドリブ１７（図１及び図２参照）にその幅方向（図１の矢印Ｙ方向）の一方（図２（ｂ）の側面１７ｅ）から当接して、ガイドリブ１７の幅方向（図１の矢印Ｙ方向）の他方（図２（ｂ）の側面１７ｆ）をガイド溝２７の対向する内壁面２８ｂに押圧する押圧リブ２９を有する。
【００４１】
このように、ガイド溝２７は、ガイドリブ１７にその幅方向（図１の矢印Ｙ方向）の一方から当接して他方（図２（ｂ）の側面１７ｆ）を対向するガイド溝２７の内壁面２８ｂに押圧する押圧リブ２９を有する。このため、ガイドリブ１７がガイド溝２７内で幅方向（図１の矢印Ｙ方向）にがたつくことによる振動や異音を抑制することができる。
【００４２】
次に、図６から図９を参照して、本発明の実施形態に係るカバー付コネクタを構成するコネクタハウジングにカバーを嵌合する際の嵌合作業とカバー付コネクタの作用効果について説明する。
【００４３】
図６は、本発明の実施形態に係るカバー付コネクタを構成するコネクタハウジングとカバーとの嵌合部分にねじれ力がかかる場合を示す説明図である。図７（ａ）は、本発明の実施形態に係るカバー付コネクタを構成する連結部と非連結部の部分を拡大して示す平面図である。図７（ｂ）は、本発明の実施形態に係るカバー付コネクタを構成するカバーにコネクタハウジングから引き離す方向への引張力が加わった場合を示す平面図である。
【００４４】
また、図８は、本発明の実施形態に係るカバー付コネクタを示す平面図である。図９（ａ）は、本発明の実施形態に係るカバー付コネクタを構成するコネクタハウジングの誤った位置にカバーを嵌合しようとした場合を示す平面図である。図９（ｂ）は、図９（ａ）のコネクタハウジングの連結部とカバーの非連結部の部分を拡大して示す平面図である。
【００４５】
図６から図９に示すように、コネクタハウジング１１の挿入口１５（図１参照）から相手側コネクタハウジング（図示省略）が挿入されたコネクタハウジング１１にカバー２１を嵌合する。
【００４６】
そして、相手側コネクタハウジングに収容された端子（図示省略）に接続したコネクタハウジング１１の端子収容室１２（図１参照）に収容された端子の電線（図示省略）をコネクタハウジング１１から引き出して、カバー２１の導出開口部２５（図３及び図４）から電線を導出して電線を覆う。
【００４７】
カバー２１をコネクタハウジング１１に嵌合する際には、図７（ａ）に示すように、コネクタハウジング１１の連結部１４の規制リブ１６を、開口された状態（図３及び図４に示す状態）のカバー２１の第１カバー本体２２ａ又は第２カバー本体２２ｂの被連結部２３の規制溝２６に、端部１６ｃ（図２（ｂ）参照）から挿入する。その後、第２カバー本体２２ｂ又は第１カバー本体２２ａを被せて重ね合わせる際に、その被連結部２３の規制溝２６に規制リブ１６の残りの部分を挿入する。
【００４８】
これにより、コネクタハウジング１１にカバー２１が嵌合される。この状態では、規制溝２６とこれに挿入した規制リブ１６との係合により、コネクタハウジング１１に対するカバー２１の嵌合解除が規制される。
【００４９】
上述したように、コネクタハウジング１１の規制リブ１６は、カバー２１をコネクタハウジング１１から引き離す方向（図１の矢印Ｙ方向）に対して直交する方向に突設して、突設方向（図１の矢印Ｘ及びＸ´方向）における基端１６ａから先端１６ｂに向かうにしたがって幅が広くなるように形成されている。また、この規制リブ１６に対応する形状で、カバー２１に規制溝２６が形成されている。
【００５０】
ここで、図６の矢印Ａに示すように、カバー２１に、コネクタハウジング１１に対するねじれ力が加わった場合を想定する。この場合、図６中の向かって右側に配置されたコネクタハウジング１１の規制リブ１６では、その延在方向（図１の矢印Ｚ方向、図６の上下方向）における一端側（図６における上端側）において、図７（ｂ）に示すように、コネクタハウジング１１からカバー２１を引き離す方向（図７（ｂ）の矢印Ｂ参照）への引張力が加わる。
【００５１】
このとき、コネクタハウジング１１の規制リブ１６が、基端１６ａ側が細く先端１６ｂ側が太いくさび状の断面形状を有しており、これに対応する断面形状を、カバー２１の規制溝２６が有しているので、規制リブ１６が規制溝２６から外れることがない。
【００５２】
なお、図７（ａ）に示すように、連結部１４の規制リブ１６を規制溝２６に挿入するときには、これと同時に、連結部１４のガイドリブ１７を、展開された状態（図３及び図４に示す状態）の第１カバー本体２２ａ又は第２カバー本体２２ｂの被連結部２３のガイド溝２７に、端部１７ｃ（図２（ｂ）参照）から挿入する。その後、第２カバー本体２２ｂ又は第１カバー本体２２ａを被せて重ね合わせる際に、その被連結部２３のガイド溝２７にガイドリブ１７の残りの部分を挿入する。
【００５３】
ここで、ガイドリブ１７及びガイド溝２７は、上述したように、規制リブ１６及び規制溝２６とは異なる断面形状を有している。つまり、図９（ａ）及び図９（ｂ）に示すように、規制リブ１６の断面形状は、略台形形状を有しているが、ガイドリブ１７の断面形状は、略長方形形状を有している。
【００５４】
このため、規制リブ１６を誤ってガイド溝２７に挿入しようとしても、互いの断面形状の違いから挿入できない。このため、カバー２１が誤った位置に嵌合されることを防止することができる（図９（ｂ）参照）。
【００５５】
また、ガイドリブ１７がガイド溝２７に挿入されると、上述したように、ガイド溝２７の押圧リブ２９がガイドリブ１７にその幅方向（図１の矢印Ｙ方向）の一方の面側から当接して、他方（図２（ｂ）の側面１７ｆ）の面を対向するガイド溝２７の内壁面２８ｂ（図５参照）に押圧する。
【００５６】
そして、規制リブ１６が規制溝２６に挿入され、ガイドリブ１７がガイド溝２７に挿入された状態（図８に示す状態）で、開口された状態（図３及び図４に示す状態）の第１カバー本体２２ａと第２カバー本体２２ｂとを折り重ねることにより、コネクタハウジング１１から引き出された電線（図示省略）を覆う。
【００５７】
このようにして、本発明の実施形態に係るカバー付コネクタ１は、電線に接続された端子を収容するコネクタハウジング１１と、このコネクタハウジング１１に嵌合されて、コネクタハウジング１１から引き出された電線を覆うカバー２１とを備えるカバー付コネクタ１であって、コネクタハウジング１１は、コネクタハウジング１１に嵌合したカバー２１をコネクタハウジング１１から引き離す方向に対して直交する方向に一方から突設した規制リブ１６を有し、カバー２１は、規制リブ１６に対応する形状で形成されて、コネクタハウジング１１へのカバー２１の嵌合時に規制リブ１６がその延在方向の端部１６ｃから挿入される規制溝２６を有し、規制リブ１６は、コネクタハウジング１１からの突設方向とカバー２１のコネクタハウジング１１からの引き離し方向との双方と直交する方向に、一直線状に延在し、突設方向の基端１６ａから先端１６ｂに向かうにしたがって幅が広くなるように形成されており、コネクタハウジング１１にカバー２１を嵌合した状態で、規制溝２６とこれに挿入した規制リブ１６とにより、コネクタハウジング１１に対するカバーの嵌合解除が規制される。
【００５８】
また、本発明の実施形態に係るカバー付コネクタ１は、コネクタハウジング１１は、規制リブ１６の延在方向と平行して延在し、規制リブ１６の突設方向にコネクタハウジング１１から突設されたガイドリブ１７を有し、カバー２１は、コネクタハウジング１１へのカバー２１の嵌合時にガイドリブ１７がその延在方向の端部から挿入されるガイド溝２７を有し、規制リブ１６とガイドリブ１７とは、それぞれの延在方向と直交する断面の形状が互いに異なる。
【００５９】
さらに、本発明の実施形態に係るカバー付コネクタ１は、ガイド溝２７は、ガイド溝２７の内壁面２８から突設されガイドリブ１７にその幅方向の一方から当接してガイドリブ１７の幅方向の他方をガイド溝２７の対向する内壁面２８に押圧する押圧リブを２９有する。
【００６０】
そして、本発明の実施形態に係るカバー付コネクタ１によれば、コネクタハウジング１１の規制リブ１６は、カバー２１をコネクタハウジング１１から引き離す方向に対して直交する方向に、コネクタハウジング１１から突設して、突設方向における基端１６ａから先端１６ｂに向かうにしたがって幅が広くなるように形成されている。
【００６１】
また、この規制リブ１６に対応する形状で、カバー２１に規制溝２６が形成されている。このため、カバー２１に、コネクタハウジング１１から引き離す方向への引張力を含むねじれ力が加わった場合に、規制リブ１６が規制溝２６から外れることがない。
【００６２】
従って、ねじれ力に対するカバー保持力を向上したカバー付コネクタ１を提供することができる。
【００６３】
また、本発明の実施形態に係るカバー付コネクタ１によれば、カバー２１には、規制リブ１６とは異なる断面形状を有するガイドリブ１７が挿入されるガイド溝２７を有している。このため、規制リブ１６がガイド溝２７に挿入されようとすると、互いの断面形状の違いから挿入できない。このため、カバー２１が誤った位置に嵌合されることを防止することができる。
【００６４】
さらに、本発明の実施形態に係るカバー付コネクタ１によれば、ガイド溝２７は、ガイドリブ１７にその幅方向の一方から当接して他方を対向するガイド溝２７の内壁面２８ｂに押圧する押圧リブ２９を有する。このため、ガイドリブ１７がガイド溝２７内で幅方向にがたつくことによる振動や異音を抑制することができる。
【００６５】
以上、本発明のカバー付コネクタを図示の実施形態に基づいて説明したが、本発明はこれに限定されるものではなく、各部の構成は、同様の機能を有する任意の構成のものに置き換えることができる。
【００６６】
例えば、本発明の実施形態では、規制リブ１６はコネクタハウジング１１に設けられ、規制溝２６は、カバー２１に設けられている場合について説明したが、規制リブ１６がカバー２１に設けられ、規制溝２６がコネクタハウジング１１に設けられていても良い。
【００６７】
また、例えば、本発明の実施形態では、ガイドリブ１７はコネクタハウジング１１に設けられ、ガイド溝２７は、カバー２１に設けられている場合について説明したが、ガイドリブ１７がカバー２１に設けられ、ガイド溝２７がコネクタハウジング１１に設けられていても良い。
【産業上の利用可能性】
【００６８】
本発明は、電線に接続された端子を収容するコネクタハウジングに、コネクタハウジングから引き出された電線を覆うカバーを嵌合するカバー付コネクタに極めて有用である。
【符号の説明】
【００６９】
１    カバー付コネクタ
１１  コネクタハウジング
１２  端子収容室
１３  コネクタハウジング本体
１４  連結部
１５  挿入口
１６  規制リブ
１７  ガイドリブ
２１  カバー
２２  カバー本体
２３  被連結部
２４  ヒンジ
２５  導出開口部
２６  規制溝
２７  ガイド溝
２８ａ，２８ｂ  内壁面
２９  押圧リブ
【図１】
0005723726.tif 000002
【図２】
0005723726.tif 000003
【図３】
0005723726.tif 000004
【図４】
0005723726.tif 000005
【図５】
0005723726.tif 000006
【図６】
0005723726.tif 000007
【図７】
0005723726.tif 000008
【図８】
0005723726.tif 000009
【図９】
0005723726.tif 000010